(57)【特許請求の範囲】
【請求項１】
ケーシング１の外周側面のうちの対向面の一方に給気口５と還気取入口２を形成するとともにこの対向面の他方に外気取入口４と排気口３を形成し、前記ケーシング１内に、前記還気取入口２と前記給気口５を連通連結し蒸発器６と再熱器７と給気ファン８を設けた伏Ｕ字状の給気送風路Ａと、前記外気取入口４と前記排気口３を連通連結し凝縮器９と排気ファン１０を設けた伏Ｕ字状の排気送風路Ｂと、を備え、前記外気取入口４と前記還気取入口２を対向させ、この両取入口側の前記給気送風路Ａ及び前記排気送風路Ｂの外側に、前記還気取入口２から取入れた還気を前記凝縮器９へも導く第一連通路Ｃと、前記外気取入口４から取入れた外気を前記蒸発器６へも導く第二連通路Ｄと、を設けたことを特徴とする天井設置用一体形エアコン。
【請求項２】
吹出位置移動自在な送風用ホース１１を、給気口５に接続した請求項１記載の天井設置用一体形エアコン。
【請求項３】
給気送風路Ａの還気の風量制御と排気送風路Ｂの外気の風量制御を行うダンパ機構１２、又は、給気送風路Ａの外気と還気の風量制御と排気送風路Ｂの外気と還気の風量制御を行うダンパ機構、を設けた請求項１又は２記載の天井設置用一体形エアコン。
【請求項４】
蒸発器６と凝縮器９と再熱器７の各々のフィンチューブを楕円管にした請求項１、２又は３記載の天井設置用一体形エアコン。
【発明の詳細な説明】
【０００１】
【発明の属する技術分野】
本発明は天井設置用一体形エアコンに関する。
【０００２】
【従来の技術】
【特許文献１】
特開２００２−２７６９９３号公報
従来のエアコンは還気を熱交換しながら室内循環して冷暖房するだけの構造のものが多く、上記公報のものでは外気の室内導入と還気の屋外排気はできるが還気を熱交換しながら室内循環して冷暖房することができない。
【０００３】
【発明が解決しようとする課題】
そこで、コンパクトで天井設置が容易で外気処理から冷暖房等まで全空調を行える天井設置用一体形エアコンを提供することを目的とする。
【０００４】
【課題を解決するための手段】
上記目的を達成するために、本発明の天井設置用一体形エアコンは、ケーシングの外周側面のうちの対向面の一方に給気口と還気取入口を形成するとともにこの対向面の他方に外気取入口と排気口を形成し、前記ケーシング内に、前記還気取入口と前記給気口を連通連結し蒸発器と再熱器と給気ファンを設けた伏Ｕ字状の給気送風路と、前記外気取入口と前記排気口を連通連結し凝縮器と排気ファンを設けた伏Ｕ字状の排気送風路と、を備え、前記外気取入口と前記還気取入口を対向させ、この両取入口側の前記給気送風路及び前記排気送風路の外側に、前記還気取入口から取入れた還気を前記凝縮器へも導く第一連通路と、前記外気取入口から取入れた外気を前記蒸発器へも導く第二連通路と、を設けた。さらに、吹出位置移動自在な送風用ホースを、給気口に接続した。さらに、給気送風路の還気の風量制御と排気送風路の外気の風量制御を行うダンパ機構、又は、給気送風路の外気と還気の風量制御と排気送風路の外気と還気の風量制御を行うダンパ機構、を設けた。さらに、蒸発器と凝縮器と再熱器の各々のフィンチューブを楕円管にした。
【０００５】
【発明の実施の形態】
図１と図２は、本発明の天井設置用一体形エアコンの一実施例を示しており、このエアコンは、縦に薄い扁平箱状のケーシング１の外周側面のうちの対向面の一方に給気口５と還気取入口２を形成するとともにこの対向面の他方に外気取入口４と排気口３を形成し、ケーシング１内に、冷媒循環回路１３と、還気取入口２と給気口５を連通連結し蒸発器６と再熱器７と給気ファン８を設けた伏Ｕ字状の給気送風路Ａと、外気取入口４と排気口３を連通連結し凝縮器９と排気ファン１０を設けた伏Ｕ字状の排気送風路Ｂと、給気送風路Ａの還気の風量制御と排気送風路Ｂの外気の風量制御を行うダンパ機構１２と、を備えている。
【０００６】
外気取入口４と還気取入口２は対向させ、この両取入口側の給気送風路Ａ及び排気送風路Ｂの外側に、還気取入口２から取入れた還気を凝縮器９へも導く第一連通路Ｃと、外気取入口４から取入れた外気を蒸発器６へも導く第二連通路Ｄと、を設け、吹出位置移動自在な送風用ホース１１を、給気口５に接続する。このホース１１を室内の任意の場所へ持ち運んだりして、室内全体を空調したり、室内を局所的に空調する。あるいは天井に吹出口を設け、これにホース１１を接続して空調する。排気口３と外気取入口４はダクトやがらり等を介して屋外に通じさせ、還気取入口２はダクトや天井の吸込口などを介して室内と通じさせる。実線及び点線の白抜き矢印は風向を示す。
【０００７】
冷媒循環回路１３は、蒸発器６、凝縮器９、再熱器７、圧縮機１４、図示省略の受液器、膨張弁及び冷媒循環方向の正逆の切換弁等を配管接続して成り、蒸発器６及び凝縮器９の吸熱と放熱を切換自在に構成する。再熱器７は蒸発器６の風下に設け、凝縮器９に流れる冷媒（ホットガス）の一部を再熱器７にバイパスさせて過冷却・除湿・再熱自在に構成する。蒸発器６と凝縮器９と再熱器７の各々のフィンチューブは楕円管にするのが好ましいが円形管でもよい。
【０００８】
給気送風路Ａと排気送風路Ｂはターン部を向かい合わせて並列に配置し、蒸発器６及び再熱器７と凝縮器９は隣接させ、蒸発器６及び再熱器７の風下に吸込式の給気ファン８を設けるとともに凝縮器９の風下に吸込式の排気ファン１０を設け、凝縮器９の風上に圧縮機１４や受液器などの冷媒循環回路１３の部品を設けて、スペースを有効活用しコンパクト化を図る。なお、蒸発器６、再熱器７、給気ファン８、凝縮器９、排気ファン１０、圧縮機１４などの配置は図例以外のものとするも自由である。冷媒循環回路１３は、図示省略のフレームなどに一体に設けて、ケーシング１に対して取出・収納自在に構成するも自由であり、ケーシング全体を取り外すことなく冷媒循環回路１３のみをケーシング１から取出して冷媒回収作業やメンテナンスを容易に行え、取付け収納にも手間がかからない。また、冷媒循環回路１３だけ交換することにより、リニューアル時のコストダウンも図れる。
【０００９】
ケーシング１には、還気取入口２から蒸発器６への還気風量を制御するダンパ１５と、外気取入口４から凝縮器９への外気風量を制御するダンパ１６と、を設けてダンパ機構１２を構成し、各種の運転制御装置等により風量制御を行う。各ダンパ１５、１６は、全閉・全開切換のみ又は任意風量可変自在の何れの構造であってもよい。なお、図示省略するが、例えば還気取入口２から凝縮器９への還気風量を制御するダンパと、外気取入口４から蒸発器６への外気風量を制御するダンパを設けて、給気送風路Ａの外気と還気の風量制御と排気送風路Ｂの外気と還気の風量制御を行うダンパ機構としてもよい。
【００１０】
このエアコンの運転例を説明すると、換気冷暖房運転では、還気取入口２からの還気と外気取入口４からの外気を所定割合で混合して蒸発器６で熱交換し、冷風又は暖風を給気口５から給気し、同時に還気取入口２からの還気と外気取入口４からの外気で凝縮器９の循環冷媒を熱交換して吸熱又は放熱し、排熱回収しつつ排気口３から屋外へ室内空気を所定量排気する。
【００１１】
過冷却・除湿・再熱運転では、給気送風路Ａの空気を蒸発器２で過冷却・除湿した後、再熱器７で再熱していわゆるドライエアーを給気し、排気送風路Ｂの空気で凝縮器９の循環冷媒を熱交換し屋外へ排気する。このとき、再熱のために別個に加熱源が不要でかつ凝縮器負荷が下がり省エネとなる。なお過冷却・除湿する空気は、還気のみ、外気のみ、還気と外気の混合空気、の何れであっても良い。換気運転及び外気冷房運転では、圧縮機１４を止めてダンパ１５とダンパ１６を全閉し、外気のみを室内へ給気し還気のみを屋外へ排気する。なお、給気口５とホース１１の数の増減は自由である。
【００１２】
【発明の効果】
請求項１の発明では、１台の一体形エアコンで、換気冷暖房運転、外気冷房運転、換気運転、過冷却・除湿・再熱運転などの全空調運転ができる。給気送風路への外気取入と排気送風路への外気取入を一つの外気取入口で共用できかつ給気送風路への還気取入と排気送風路への還気取入を一つの還気取入口で共用できるので、部品点数が減少しコンパクト化とコスト削減を図れ施工が容易となる。ケーシングの対向面の一方に室内側からのダクトを、他方に屋外側からのダクトを連結できるので、ダクト施工が容易となり、ケーシングを扁平薄形コンパクトにできて、天井設置に最適である。給気送風路と排気送風路をＵ字状にして送風距離を長くしてあるのでコンパクトにもかかわらず低騒音となる。
請求項２の発明では、送風用ホースの吹出位置を自由に変えて、局所的に空調したり、各種方式の空調に容易に変更・対応できる。
請求項３の発明では、換気運転の際、還気を給気送風路に取入れずに外気のみを給気し、外気を排気送風路に取入れずに還気のみを排気できるので、余分な動力を使わずにすみ、省エネを図れる。また、給気送風路の外気と還気の風量制御と排気送風路の外気と還気の風量制御を行うダンパ機構とすれば、蒸発器で熱交換をしながら還気のみを室内とエアコンの間で循環させてウォーミングアップ運転も行える。
請求項４の発明では、圧力損失が減少して熱交換効率が向上するので小型のファンを用いることができ騒音低減を図れる。蒸発器と凝縮器と再熱器も小型化できエアコンをコンパクト化できる。
【図面の簡単な説明】
【図１】本発明の一実施例を示す平面図である。
【図２】図１の正面図である。
【符号の説明】
１    ケーシング
２    還気取入口
３    排気口
４    外気取入口
５    給気口
６    蒸発器
７    再熱器
８    給気ファン
９    凝縮器
１０  排気ファン
１１  ホース
１２  ダンパ機構
１３  冷媒循環回路
Ａ    給気送風路
Ｂ    排気送風路
Ｃ    第一連通路
Ｄ    第二連通路
【図１】
0003726797.tif 000002
【図２】
0003726797.tif 000003